(57)【特許請求の範囲】
【請求項１】
複数の指針と、
ユーザの操作を受け付ける操作受付部と、
現在の日時を計数する計時部と、
回動する回転円板上に形成される地図画像と、
前記複数の指針の何れかであり前記地図画像における何れかのタイムゾーンを示す地図指示部と、
前記複数の指針の動作制御、及び世界各地の現地時刻である地方時の取得対象位置における当該地方時と所定の基準時との時差に係る地方時設定を行う制御部と、
を備え、
前記制御部は、前記操作受付部により受け付けられた操作に応じて前記複数の指針の少なくとも一部に地方時を表示させ、表示させた地方時と前記計時部の計数する日時との差に基づいて前記地方時設定を行い、
前記回転円板の所定の回転角度方向を前記地図指示部により示させた状態で、取得した前記地方時設定に係るタイムゾーンを示す前記地図画像上の位置を前記所定の回転角度方向と一致させるように前記回転円板を回動させる、
ことを特徴とする電子時計。
【請求項２】
前記制御部は、前記地方時設定において、夏時間の実施有無に係る設定に応じてタイムゾーンの判別を行うことを特徴とする請求項１記載の電子時計。
【請求項３】
前記制御部は、前記操作受付部により受け付けられた操作に応じて前記夏時間の実施有無に係る設定を切り替えることを特徴とする請求項２記載の電子時計。
【請求項４】
前記制御部は、前記地方時設定において、夏時間の実施有無に係る設定に応じてタイムゾーンの判別を行い、前記判別したタイムゾーンに応じた前記地図画像上の位置を前記地図指示部により示させる
ことを特徴とする請求項１記載の電子時計。
【請求項５】
複数の指針と、
ユーザの操作を受け付ける操作受付部と、
現在の日時を計数する計時部と、
回動する回転円板上に形成される地図画像と、
前記地図画像における何れかのタイムゾーンを示す地図指示部と、
前記複数の指針の動作制御、及び世界各地の現地時刻である地方時の取得対象位置における当該地方時と所定の基準時との時差に係る地方時設定を行う制御部と、
を備え、
前記地図指示部は、前記回転円板の所定の回転角度方向を示す固定標識であり、
前記複数の指針のうち１つは、前記地図指示部に対応付けられた位置を指示可能に設けられた設定指針であり、
前記制御部は、前記地図指示部に対応付けられた位置を前記設定指針により指し示させた状態で、取得した前記地方時設定に係るタイムゾーンを示す前記地図画像上の位置を前記地図指示部が示す回転角度方向と一致させるように前記回転円板を回動させる
ことを特徴とする電子時計。
【請求項６】
前記地図指示部及び前記地図指示部に対応付けられた位置は、夏時間の実施有無に応じてそれぞれ別個に定められていることを特徴とする請求項５記載の電子時計。
【請求項７】
前記制御部は、地方時の前記取得対象位置として複数箇所を設定可能であり、
前記地図指示部及び前記地図指示部に対応付けられた位置は、前記複数箇所に各々応じて別個に定められていることを特徴とする請求項５又は６記載の電子時計。
【発明の詳細な説明】
【技術分野】
【０００１】
この発明は、電子時計に関する。
【背景技術】
【０００２】
従来、世界各地の日時（地方時）を算出して表示する世界時計機能を有する電子時計がある。このような電子時計では、世界各地の都市などを選択設定することで、当該都市が属するタイムゾーンや夏時間実施ルールを参照して協定世界時（ＵＴＣ日時）に対する時差を算出し、地方時を求めて表示させることが出来る。
【０００３】
電子時計では、このような都市設定を行う場合、文字盤（固定表示盤）やベゼルなどに記載された各都市の略称を予め定められた指針により指示させることで、当該都市が選択され、地方時が算出される（例えば、特許文献１）。
【先行技術文献】
【特許文献】
【０００４】
【特許文献１】特開２００６−２６６９８７号公報
【発明の概要】
【発明が解決しようとする課題】
【０００５】
しかしながら、従来、世界各地の地方時を表示させるには、目的地がどのタイムゾーンに属するかを予め知得する必要があり、特に、ベゼルなどに表示可能な都市以外の地域については、ユーザが対応関係を調べる手間がかかるという課題がある。また、更に、世界地理に詳しいユーザや繰返し決まった地域に移動するユーザ以外にとっては、各都市の略称がどの都市を指しているのかが分かりづらく、説明書などを参照する手間が必要になり、容易に正確な地方時を表示させ難いという課題がある。
【０００６】
この発明の目的は、ユーザの手間を抑えつつ、より容易に世界各地の日時を計数、表示させることが可能な電子時計を提供することにある。
【課題を解決するための手段】
【０００７】
上記目的を達成するため、本発明は、
複数の指針と、
ユーザの操作を受け付ける操作受付部と、
現在の日時を計数する計時部と、
回動する回転円板上に形成される地図画像と、
前記複数の指針の何れかであり前記地図画像における何れかのタイムゾーンを示す地図指示部と、
前記複数の指針の動作制御、及び世界各地の現地時刻である地方時の取得対象位置における当該地方時と所定の基準時との時差に係る地方時設定を行う制御部と、
を備え、
前記制御部は、前記操作受付部により受け付けられた操作に応じて前記複数の指針の少なくとも一部に地方時を表示させ、表示させた地方時と前記計時部の計数する日時との差に基づいて前記地方時設定を行い、
前記回転円板の所定の回転角度方向を前記地図指示部により示させた状態で、取得した前記地方時設定に係るタイムゾーンを示す前記地図画像上の位置を前記所定の回転角度方向と一致させるように前記回転円板を回動させる、
ことを特徴とする電子時計である。
【発明の効果】
【０００８】
本発明に従うと、ユーザの手間を抑えつつ、より容易に世界各地の日時を計数、表示させることが出来るという効果がある。
【図面の簡単な説明】
【０００９】
【図１】本発明の実施形態の電子時計を示す平面図である。
【図２】小窓内の世界地図表示を示す図である。
【図３】電子時計の機能構成を示すブロック図である。
【図４】地方時設定処理（自動）の制御手順を示すフローチャートである。
【図５】地方時設定処理（手動）の制御手順を示すフローチャートである。
【図６】地方時設定処理（手動）の実行中における表示例を示す図である。
【図７】地方時設定処理（手動）の実行中における表示例を示す図である。
【図８】第２実施形態の電子時計の正面図である。
【図９】第２実施形態の電子時計の機能構成を示すブロック図である。
【図１０】第２実施形態の電子時計で実行される地方時設定処理（手動）の制御手順を示すフローチャートである。
【図１１】第２実施形態の電子時計における地方時設定時の表示例を示す図である。
【図１２】第２実施形態の電子時計における地方時設定時の表示例を示す図である。
【図１３】第３実施形態の電子時計の正面図である。
【図１４】第３実施形態の電子時計で実行される地方時設定処理（手動）の制御手順を示すフローチャートである。
【図１５】第３実施形態の電子時計の変形例１、２を示す図である。
【発明を実施するための形態】
【００１０】
以下、本発明の実施の形態を図面に基づいて説明する。
図１は、本実施形態の電子時計１の正面図である。
【００１１】
電子時計１は、ケーシング２と、固定表示盤３と、秒針６１と、分針６２と、時針６３と、小分針６４と、小時針６５と、日車６６と、モード指針６７と、地図指針６８（地図指示部）と、りゅうずＣ１と、押しボタンスイッチＢ１〜Ｂ４などを備える。また、電子時計１の上面は、図示略の透明な風防ガラスで覆われている。
以降では、秒針６１、分針６２、時針６３、小分針６４、小時針６５、日車６６、モード指針６７及び地図指針６８のうち一部又は全部をまとめて指針６１〜６８のようにも記す。
【００１２】
ケーシング２は、電子時計１の各構成を内部に格納する。固定表示盤３は、時刻を示すための標識（時字）や目盛が設けられた表示面がケーシング２の内部で風防ガラス越しに視認可能に収められている。指針６１〜６５、６７、６８は、固定表示盤３と風防ガラスの間に設けられている。日車６６は、固定表示盤３の表示面とは反対の面側に設けられている。
りゅうずＣ１及び押しボタンスイッチＢ１〜Ｂ４は、ケーシング２の側面を貫通して設けられ、外部からの操作がケーシング２の内部に伝達される。
【００１３】
固定表示盤３の４時半方向には、開口部７が設けられて、日車６６の固定表示盤３の側の面（上面）に設けられた標識（後述の日付標識）の何れかが視認可能となっている。また、固定表示盤３の６時方向、９時半方向及び３時方向には、それぞれ小窓４、５、６が設けられている。
【００１４】
秒針６１、分針６２及び時針６３は、固定表示盤３の略中心を回転軸として固定表示盤３に平行な面内でそれぞれ回転動作する。これら秒針６１、分針６２及び時針６３は、通常の表示状態では、現在位置における現地時刻である地方時での現在時刻（ホーム時刻）を表示するのに用いられる。
【００１５】
小分針６４及び小時針６５は、世界各地の何れかの地域（世界時計位置）における現地時刻（世界時計）の表示に用いられる。
【００１６】
日車６６は、円周上に「１」〜「３１」の日付標識が等間隔で設けられ、回転動作されて開口部７から何れかが露出されることで現在位置における日付を示す円環状の回転盤である。
【００１７】
モード指針６７は、小窓５の内部で回転動作し、通常の表示状態では現在位置における現在の曜日を指し示す。また、モード指針６７は、夏時間の設定選択に用いられる。モード指針６７が標識「ＡＴ」を指し示すことで、予め取得されている夏時間の実施ルールに応じて夏時間のオンオフが切り替えられる状態であることが示される。また、モード指針６７が標識「ＳＴＤ」又は標識「ＤＳＴ」を指し示すことで、設定されている現在位置や世界時計位置の夏時間実施ルールによらず、それぞれ、夏時間の不実施状態、又は夏時間の実施状態に固定される。夏時間の手動実施状態におけるシフト時間は、別途手動で設定されても良いし、一律に固定時間、例えば、１時間とされても良い。或いは、後述のように、夏時間実施時のＵＴＣ日時からの時差情報に基づいて判定、推測されても良い。
【００１８】
地図指針６８は、小窓６内で回転して世界時計位置又は現在位置に応じたタイムゾーンを指し示す。例えば、地図指針６８には、通常時に世界時計位置に応じたタイムゾーンを指示させ、現在位置の手動設定時に当該現在位置に応じたタイムゾーンを指示させるように制御することが出来る。
図２は、小窓６内をより詳しく説明する図である。
【００１９】
小窓６内には、世界の各タイムゾーンに含まれる地域（都市）を示す都市標識（ここでは円形記号）を含んだ世界地図（地図画像）が示されている。ここでは、北極を中心にして北半球側の地図のみが示されているが、南半球側を併せて表示させる構成とすることが出来る。例えば、小窓６内において北半球側の海岸線や都市標識とは異なる色で南半球側の海岸線や都市標識を重ねて表示させても良いし、赤道より外側に更に南半球側の地図を設けても良いし、見る角度などに応じて何れかが見えるように偏光状態などが工夫されていても良い。或いは、小窓６内の小文字盤が移動されて、何れかが選択的に表示されても良いし、小窓６と対になる小窓をもう一つ設けて、南半球側の地図を北半球側の地図と別個に表示可能としても良い。
【００２０】
ここでは、各タイムゾーンにそれぞれ対応して少なくとも一つずつ都市が定められている。これらの都市は、必ずしも経度方向に等間隔で並んでいる訳ではないが、海岸線の形状をデフォルメするなどにより都市標識の間隔を調整して、各都市とタイムゾーンとの対応関係をより見やすくさせても良い。また、ＵＴＣ（協定世界時）に対して＋１２時間〜＋１４時間の地域と−１０時間〜−１２時間の地域が混在しているので、都市標識の色や形状などにより区別して表示させても良いし、単一の都市標識にまとめても良い。何れの場合であっても、例えば、タイムゾーン設定時の地図指針６８の回転方向などにより何れかが選択的に設定可能とされる。
【００２１】
図３は、本実施形態の電子時計１の機能構成を示すブロック図である。
電子時計１は、指針６１〜６８に加えて、輪列機構７１〜７５と、ステッピングモータ８１〜８５と、駆動回路５１と、ＣＰＵ４１（Central Processing Unit）（地方時設定部、駆動制御部）と、ＲＯＭ４２（Read Only Memory）と、ＲＡＭ４３（Random Access Memory）と、発振回路４４と、分周回路４５と、計時回路４６（計時部）と、操作受付部４７と、Bluetoothモジュール４８と、ＵＡＲＴ４９（Universal Asynchronous Receiver/Transmitter）と、アンテナＡＴと、電力供給部５２などを備える。ＣＰＵ４１は、地方時設定部及び駆動制御部を含む。これらの地方時設定部及び駆動制御部は、単一のＣＰＵであっても良いし、各々別個にＣＰＵが設けられて各動作が行われても良い。
ＣＰＵ４１、ＲＯＭ４２及びＲＡＭ４３により制御部が構成される。
【００２２】
ステッピングモータ８１は、輪列機構７１を介して秒針６１及び分針６２を連動して回転動作させる。ステッピングモータ８２は、輪列機構７２を介して時針６３を回転動作させる。ステッピングモータ８３は、輪列機構７３を介して小分針６４及び小時針６５を連動して回転動作させる。ステッピングモータ８４は、輪列機構７４を介して日車６６及びモード指針６７を連動して回転動作させる。なお、日車６６とモード指針６７との回転角度の比率は大きく異なるので、モード指針６７の動作時には、日車６６の回転は無視が可能な程度であり、日車６６により表示させる日付が変更される場合には、モード指針６７が上述の比率に応じて所定の回数回転動作することになる。ステッピングモータ８５は、輪列機構７５を介して地図指針６８を回転動作させる。
【００２３】
ＣＰＵ４１は、各種演算処理を行い、電子時計１の全体動作を統括制御する。ＣＰＵ４１は、地方時設定４３ａに基づいて現在位置及び世界時計位置におけるＵＴＣ日時からの時差を適切に設定し、計時回路４６の計数するＵＴＣ日時を適切な地方時に変換する。ＣＰＵ４１は、適切なタイミングで駆動回路５１に制御信号を出力して指針６１〜６７を動作させ、得られた地方時の表示を行わせる。また、ＣＰＵ４１は、駆動回路５１を当該地方時設定４３ａに応じて地図指針６８を回転動作させて世界時計位置や現在位置のタイムゾーンを表示させる。
【００２４】
ＲＯＭ４２は、マスクＲＯＭや各種不揮発性メモリなどであり、制御用のプログラム４２ａや初期設定データなどを格納する。初期設定データには、都市時差情報４２ｂと都市夏時間情報４２ｃとが含まれる。現在位置や世界時計位置の都市が選択された場合には、当該都市に対応するタイムゾーンが都市時差情報４２ｂから取得され、また、夏時間実施ルールが都市夏時間情報４２ｃから取得され得る。外部からタイムゾーンや夏時間実施ルールの更新情報や追加設定情報が取得された場合には、当該更新情報は、ＲＯＭ４２の不揮発性メモリ又はＲＡＭ４３に記憶される。
【００２５】
ＲＡＭ４３は、ＣＰＵ４１に作業用のメモリ空間を提供し、一時データを保存する。一時データには、地方時設定４３ａが含まれ、現在位置や世界時計位置として選択されている都市、及び当該都市の地方時設定（タイムゾーン及び夏時間実施ルール）が記憶される。ＲＡＭ４３には、ＤＲＡＭやＳＲＡＭなどの通常の揮発性メモリに加えて、データの高速読み書きが可能なその他不揮発性メモリなどが一部用いられても良い。
【００２６】
発振回路４４は、所定の周波数のパルス信号（１６ｋＨｚや３２ｋＨｚなど）を生成して出力する。
分周回路４５は、発振回路４４が生成したパルス信号を分周して周波数を低下させ、ＣＰＵ４１及び計時回路４６が利用する周波数のクロック信号に変換して出力する。
【００２７】
計時回路４６は、分周回路４５から入力された所定の周波数信号を計数して初期日時に加算していくことで現在の日時を計数する。ここでは、計時回路４６は、基準となる時刻（基準時）、即ち、ＵＴＣ日時で日時の計数を行う。ＣＰＵ４１がこの計時回路４６の日時を各地方時に換算して表示などに用いられる。
【００２８】
操作受付部４７は、りゅうずＣ１及び押しボタンスイッチＢ１〜Ｂ４の操作を検出して電気信号に変換し、ＣＰＵ４１に出力する。りゅうずＣ１の操作としては、２段階の引き出し操作及び押し込み操作、並びに両方向への回転操作が含まれる。
【００２９】
Bluetoothモジュール４８は、外部機器とブルートゥース（登録商標：Bluetooth）を用いた近距離無線通信を行うためのデータ送受信処理に係るモジュールである。Bluetoothモジュール４８は、ＣＰＵ４１の制御に基づき外部機器から現在日時に係る情報、新たに設定された現在位置や世界時計位置、これらに対応した最新のタイムゾーンや夏時間の実施期間（実施有無）情報などを取得する。ＵＡＲＴ４９は、外部機器とやり取りする対象のデータをシリアル／パラレル変換して、ＣＰＵ４１に適切に送る。アンテナＡＴは、ブルートゥースによる通信に用いられるものであって、当該通信周波数の電波の送受信を行う。
Bluetoothモジュール４８により接続される外部機器は、特に制限されないが、現在日時や現在位置の情報を取得する場合には、現在日時が十分な精度で維持され、また、現在位置の情報が可能な限りリアルタイムに近いタイミングで更新される（現在位置の変更が反映されるまでの時間が例えば、数秒〜数分以内など）電子機器である必要があり、スマートフォンや携帯電話などが好ましく選択される。これらのスマートフォンや携帯電話では、測位衛星からの電波を受信して測位を行ったり、携帯電話通信の基地局から現在位置情報を取得したりし（これらを以降まとめて測位動作と記す）、また、携帯電話通信の基地局との同期情報などに基づいて随時現在日時が更新される。
【００３０】
駆動回路５１は、ＣＰＵ４１からの制御信号に応じて適切なタイミングでステッピングモータ８１〜８５を動作させる駆動信号を出力する。駆動回路５１は、各ステッピングモータに対してそれぞれ設定された適切なピーク電圧やピーク電圧長のパルス信号を出力可能である。また、複数の指針を同時に駆動する制御信号が取得された場合には、負荷の大きさなどに応じて微小タイミングずらして複数のステッピングモータを動作させることが出来る。
【００３１】
電力供給部５２は、ＣＰＵ４１の各部に電力を供給する。電力供給部５２は、バッテリを備え、バッテリとしては、例えば、ソーラパネルと二次電池とが組み合わされたものであっても良いし、或いは、ボタン型の乾電池が用いられても良い。Bluetoothモジュール４８といった間欠的に動作する構成に対する電力の供給は、不要な場合には遮断されても良い。
【００３２】
次に、本実施形態の電子時計１における地方時の設定動作について説明する。
電子時計１では、定期的に（例えば、一日に一回）及びユーザの接続操作に応じてブルートゥースによりスマートフォンなどの外部機器に通信接続されて現在位置（都市）に係る情報と当該現在位置における現在時刻（地方時）とが取得される。外部機器が測位動作を行うことが可能な状況では、電子時計１は、当該外部機器との通信タイミングにおける正確な現在位置及び現在時刻が得られる。このとき、電子時計１は、併せて最新のタイムゾーンの情報や夏時間実施ルールなどが外部機器で保持されているデータに応じて取得されても良い。
【００３３】
外部機器から地方時が取得された場合には、ＣＰＵ４１は、更新された地方時設定４３ａに応じてＵＴＣ日時を逆算し、計時回路４６の計数する日時を修正する。或いは、スマートフォンから取得される現在時刻は、地方時ではなく、ＵＴＣ日時であっても良い。この場合、ＵＴＣ日時により直接計時回路４６の計数する日時が修正され、更新された地方時設定４３ａに応じて現在位置の地方時が算出、表示される。
【００３４】
一方で、室内や地下など外部機器において測位動作を行うことが困難な状況や、ユーザが外部機器を保持していない場合などにおいて、ユーザが手動で地方時（現在位置）の変更設定を行うことが出来る。電子時計１では、現在位置設定状態において時刻の表示を現在位置（地方時の取得対象位置）における現在時刻（地方時）に変更する操作を行うことで、計時回路４６が計数するＵＴＣ日時自体を変更させずに新たなＵＴＣ日時との時差が算出されて、タイムゾーンなどの情報が逆算される。
【００３５】
図４は、本実施形態の電子時計１で実行される地方時設定処理（自動）のＣＰＵ４１による制御手順を示すフローチャートである。
この地方時設定処理（自動）は、一日一回所定の時刻に呼び出されて起動される。
【００３６】
地方時設定処理（自動）が起動されると、ＣＰＵ４１は、スマートフォンなど予め設定された外部機器とのブルートゥースによる通信接続を行う（ステップＳ１０１）。ＣＰＵ４１は、通信接続された外部機器からＵＴＣにおける現在日時と現在位置の地方時設定を取得する（ステップＳ１０２）。
【００３７】
ＣＰＵ４１は、外部機器との通信接続を解除し（ステップＳ１０３）、取得された現在時刻に基づいて計時回路４６の計数する日時を修正すると共に、取得された地方時設定を地方時設定４３ａとして記憶させる（ステップＳ１０４）。そして、ＣＰＵ４１は、地方時設定処理（自動）を終了する。
これにより、更新された地方時設定４３ａと修正された計時回路４６の計数日時とに応じて指針６１〜６３、６６、６７により表示される現在日時と指針６４、６５により表示される世界時計とが修正される。
【００３８】
図５は、本実施形態の電子時計１で実行される地方時設定処理（手動）のＣＰＵ４１による制御手順を示すフローチャートである。
この地方時設定処理（手動）は、ユーザにより地方時設定状態に移行するための所定の動作、ここでは、例えば、りゅうずＣ１を２段階引き出す動作が行われることで起動される。
【００３９】
地方時設定処理（手動）が起動されると、ＣＰＵ４１は、りゅうずＣ１の回転操作が検出されたか否かを判別する（ステップＳ２０１）。回転操作が検出されたと判別された場合には（ステップＳ２０１で“ＹＥＳ”）、ＣＰＵ４１は、検出されたりゅうずＣ１の回転方向に応じて移動方向を判別し、駆動回路５１に制御信号を出力して、判別された移動方向に時針６３を１時間移動させると共に、地図指針６８を１時間分異なるタイムゾーンの都市標識を指示する位置に移動させる（ステップＳ２０２）。それから、ＣＰＵ４１の処理は、ステップＳ２０３に移行する。回転操作が検出されていないと判別された場合には（ステップＳ２０１で“ＮＯ”）、ＣＰＵ４１の処理は、ステップＳ２０３に移行する。
【００４０】
ＣＰＵ４１は、押しボタンスイッチＢ４が押下されたか否かを判別する（ステップＳ２０３）。押しボタンスイッチＢ４が押下されたと判別された場合には（ステップＳ２０３で“ＹＥＳ”）、ＣＰＵ４１は、制御信号を駆動回路５１に出力して秒針６１及び分針６２を１５分進めると共に、地図指針６８を１５分後のタイムゾーンに対応する位置まで移動させる（ステップＳ２０４）。タイムゾーンは、ＵＴＣ時刻に対して１５分単位で設定され得るが、存在しないタイムゾーンもある。ＣＰＵ４１は、現在設定されているタイムゾーンについては対応する都市標識を指し示させ、設定が無い場合には、両接する都市標識間を１５分単位で等分した位置を指し示させるように制御することが出来る。
このとき、ＣＰＵ４１は、分針６２が４５分の位置にある状態で押しボタンスイッチＢ４の押下が検出された場合には、時針６３を次の時間に進めずに分針６２を０分の位置に戻し、また、地図指針６８を当該０分の位置に対応するタイムゾーンを示す標識位置に戻す動作を行わせる。時針６３は、分針６２の４５分内における周期的な移動に併せて動作されてもされなくても良い。
【００４１】
ステップＳ２０４の処理が終了すると、ＣＰＵ４１の処理は、ステップＳ２０５に移行する。ステップＳ２０３の判別処理で押しボタンスイッチＢ４が押下されていないと判別された場合には（ステップＳ２０３で“ＮＯ”）、ＣＰＵ４１の処理は、ステップＳ２０５に移行する。
【００４２】
ステップＳ２０５の処理に移行すると、ＣＰＵ４１は、押しボタンスイッチＢ２が押下されたか否かを判別する（ステップＳ２０５）。押しボタンスイッチＢ２が押下されたと判別された場合には（ステップＳ２０５で“ＹＥＳ”）、ＣＰＵ４１は、夏時間実施の有無に係る設定を切り替えると共に、駆動回路５１に対して当該切り替えに応じた指針位置へモード指針６７を移動させる制御信号を出力する。また、ＣＰＵ４１は、夏時間の実施設定時には、夏時間の実施を考慮した現在時刻に該当するタイムゾーンを地図指針６８に指示させるように駆動回路５１に制御信号を出力する（ステップＳ２０６）。
【００４３】
ここで、現在、世界のほぼ全ての夏時間実施地域では、夏時間の実施時には通常の時差に対して＋１時間のシフト時間が設定されるので、タイムゾーンは、指針６１〜６３により表示されている時刻とＵＴＣ時刻との差よりも−１時間の時差の地域となる。しかしながら、時差がＵＴＣ＋１１時間の場合のみ、＋１０時間の時差に対して＋１時間シフトされたオーストラリア東部標準時と、＋１０時間３０分の時差に対して３０分シフトされたロードハウ島とがあり得る。従って、この場合には、押しボタンスイッチＢ２の押下動作に従って両地域を順番に選択可能とすることが出来る。或いは、夏時間実施時のシフト時間を＋１時間から異ならせる別個の操作が可能であっても良い。これにより、シフト時間が＋１時間以外に新たに設定された任意の地域に対応させることが出来る。
なお、ここでは、夏時間設定がオート（「ＡＴ」）に設定されていた場合に地方時設定処理（手動）が呼び出されると、夏時間設定は自動的に手動オフ（「ＳＴＤ」）に切り替えられるが、単純に現在の実施状況を維持しても良いし、別途日付情報と、別途得られる南北半球（緯度）の判別情報とにより夏時間実施があり得る期間か否かを判別して自動で切り替えても良い。同一タイムゾーンについて複数の都市が個別に選択可能な場合には、ＣＰＵ４１は、都市ごとに夏時間の実施有無を判別することが出来る。この場合には、ＣＰＵ４１は、地図指針６８に連動してモード指針６７を夏時間実施有無に応じた位置に移動させることが出来る。
【００４４】
ステップＳ２０６の処理が終了すると、ＣＰＵ４１の処理は、ステップＳ２０７に移行する。また、ステップＳ２０５の判別処理で押しボタンスイッチＢ２が押下されていないと判別された場合には（ステップＳ２０５で“ＮＯ”）、ＣＰＵ４１の処理は、ステップＳ２０７に移行する。
【００４５】
ステップＳ２０７の処理に移行すると、ＣＰＵ４１は、りゅうずＣ１が２段引き状態から押し戻される操作が検出されたか否かを判別する（ステップＳ２０７）。検出されていないと判別された場合には（ステップＳ２０７で“ＮＯ”）、ＣＰＵ４１の処理は、ステップＳ２０１に戻る。検出されたと判別された場合には（ステップＳ２０７で“ＹＥＳ”）、ＣＰＵ４１は、指針６１〜６３により指示されている時刻と計時回路４６が計数するＵＴＣ日時との時差と、ステップＳ２０６の処理で最終的に設定されている夏時間実施の有無に係る設定とに応じてタイムゾーンの情報を取得して、地方時設定４３ａを更新する（ステップＳ２０８）。このとき、ＣＰＵ４１は、都市時差情報４２ｂ及び都市夏時間情報４２ｃを参照して対応する都市を選択しても良いし、都市設定を行わないこととしても良い。
【００４６】
ＣＰＵ４１は、地方時設定処理（手動）の実行中の経過時間に応じて指針６１〜６６を現在日時に一致させるように駆動回路５１に制御信号を出力する。また、ＣＰＵ４１は、日付の変更がある場合には日車６６を当該変更された日付位置に移動させた後、モード指針６７を現在位置における現在の曜日を指示する位置に移動させるように駆動回路５１に制御信号を出力する。そして、ＣＰＵ４１は、地方時設定処理（手動）を終了する。
【００４７】
図６及び図７は、地方時設定処理（手動）の実行中における表示例を示す図である。
なお、ここでは、秒針６１並びに世界時計機能に係る小窓４内における小分針６４及び小時針６５の図示を省略する。
【００４８】
先ず、りゅうずＣ１の２段引きがなされると、図６（ａ）に示されるように、この時点での現在位置の現在時刻（地方時）が指針６２、６３により表示されると共に、設定されているタイムゾーン（対応する都市標識）が地図指針６８により指示された状態で停止する。ここでは、地図指針６８により東京（ＵＴＣ＋９）が設定されていることが示され、また、現在時刻が９時００分であることが示されている。即ち、このときのＵＴＣ日時は、東京の地方時と同日の０時００分である。
【００４９】
この状態でりゅうずＣ１の回転操作が行われると（ステップＳ２０１で“ＹＥＳ”）、図６（ｂ）に示すように、時針６３が順次１時間ずつ移動され、これに応じて地図指針６８が１時間分ずつ異なるタイムゾーンの都市を指示していく（ステップＳ２０２）。ここでは、指針６２、６３により現在時刻が４時００分のタイムゾーンに設定されていることが示され、また、地図指針６８は、ＵＴＣ日時に対して＋４時間のエリアに対応する都市、ここでは、アラブ首長国連邦のドバイを指示している。
【００５０】
次に、押しボタンスイッチＢ４の押下操作が行われると（ステップＳ２０３で“ＹＥＳ”）、図７（ａ）に示すように、分針６２が順次１５分ずつ移動され、これに応じて地図指針６８が１５分ずつ異なるタイムゾーンの位置を指示していく（ステップＳ２０４）。
ここでは、２回の押しボタンスイッチＢ４の押下操作により、分針６２が３０分移動して現在時刻が４時３０分のタイムゾーンに設定されていることが示される。また、これに応じて、地図指針６８は、ＵＴＣ日時に対して＋４時間３０分のエリアに対応する都市、ここでは、アフガニスタンのカブールを指示している。
【００５１】
更に、押しボタンスイッチＢ２の押下操作が行われると（ステップＳ２０５で“ＹＥＳ”）、図７（ｂ）に示すように、モード指針６７が移動される（ステップＳ２０６）。モード指針６７は、一回の押下操作ごとに標識「ＳＴＤ」と標識「ＤＳＴ」の間を往復動作する。これに伴って、夏時間の不実施状態と実施状態とが交互に切り替えられる。初期状態で夏時間実施ルールの適用がオートであって、標識「ＡＴ」が指示されていた場合、何れが先に指示されても良い。
【００５２】
モード指針６７により標識「ＤＳＴ」が指示されて夏時間の実施状態に設定された場合、時針６３及び分針６２により指示されている時刻は、夏時間の実施を考慮した時刻として判断される。この場合、ＵＴＣ日時に対して＋４時間３０分の時差は、タイムゾーンの違いによる＋３時間３０分の時差と、夏時間の実施による＋１時間のシフト時間との組み合わせによるものと判断される。これにより、ＣＰＵ４１は、地図指針６８を移動させて時差が＋３時間３０分の地域に対応する都市であるイランのテヘランを指示させる。
【００５３】
りゅうずＣ１の戻し動作が検出されると（ステップＳ２０７で“ＹＥＳ”）、ＣＰＵ４１は、最後に図７（ｂ）の段階で設定されていた情報、即ち、現在位置がＵＴＣ時刻に対して＋３時間３０分のタイムゾーンであって夏時間の実施中のエリアであることを取得して地方時設定４３ａに記憶させる（ステップＳ２０８）。このとき、ＣＰＵ４１は、都市時差情報４２ｂ及び都市夏時間情報４２ｃを参照して、当該エリアに対応する都市として「テヘラン」を設定することとしても良い。そして、ＣＰＵ４１は、指針６１〜６７により計時回路４６の計数する現在日時に応じた日時をリアルタイムで表示させる動作を再開する。このとき、必要に応じて日車６６による日付表示とモード指針６７による曜日表示が切り替えられる。また、地図指針６８は、世界時計の設定位置に応じたタイムゾーンの表示状態となる。
【００５４】
以上のように、本実施形態の電子時計１は、複数の指針６１〜６８と、ＣＰＵ４１と、ユーザの操作を受け付ける操作受付部４７と、現在の日時を計数する計時回路４６と、を備え、ＣＰＵ４１は、これら複数の指針６１〜６８の動作制御を行う駆動制御部として動作し、また、世界各地の現地時刻である地方時の取得対象位置における当該地方時とＵＴＣ日時との時差に係る地方時設定を行う地方時設定部として動作する。
ＣＰＵ４１は、駆動制御部として、操作受付部４７により受け付けられた操作に応じて複数の指針６１〜６８の少なくとも一部である分針６２及び時針６３にユーザ所望の地方時を表示させ、地方時設定部として、表示させた地方時と計時回路４６の計数する日時との差に基づいて地方時設定を行う。
これにより、ユーザが変更対象の地域における現在時刻（地方時）を表示するように分針６２及び時針６３を移動させる操作を行うだけで、対応するタイムゾーンの設定を取得することが出来るので、ユーザが具体的な時差や当該時差のタイムゾーンを代表する都市を調べるといった手間を抑えることが出来る。また、タイムゾーンの設定のみが切り替えられるので、元々計数していた計時回路４６の計数する日時、設定されていた機能や世界時計の表示時刻などにずれや悪影響を与えずに適切な日時の計数、表示を保つことが出来る。
【００５５】
また、地方時設定部としてのＣＰＵ４１は、地方時設定において、夏時間の実施有無に係る設定に応じてタイムゾーンの判別時に夏時間実施時のシフト時間を適切に考慮するので、ユーザ操作により表示された地方時が夏時間の実施中のものであってもずれを生じさせずに適切なタイムゾーンの設定を行うことが出来る。また、当該設定に応じ、都市夏時間情報４２ｃを参照して適切な夏時間実施ルールを反映させた地方時を計数、表示させることが出来る。
【００５６】
また、地方時設定部としてのＣＰＵ４１は、操作受付部４７により受け付けられた操作に応じて夏時間の実施有無に係る設定を切り替えることが出来る。即ち、設定した地方時が夏時間の実施中のものであるか否かユーザが知得している場合には、当該設定のオン、オフを単純に切り替えることで、容易且つより確実に夏時間実施時のシフト時間を適切に考慮したタイムゾーンの設定を行うことが出来る。
【００５７】
また、電子時計１は、小窓６内の世界地図と、当該世界地図における何れかのタイムゾーンを示す地図指針６８と、を備え、駆動制御部としてのＣＰＵ４１は、地図指針６８を回動させることで世界地図と地図指針６８とを相対移動させて、地方時設定部として取得した地方時設定に対応するタイムゾーンを示す世界地図上の位置を地図指針６８により指し示させる。
これにより、ユーザは、各都市の略称（記号）を判別したり、当該都市と自身のいるタイムゾーンとの位置関係を把握したりせずとも所望のエリアのタイムゾーンに設定されているか否かをより容易に知得することが出来る。
【００５８】
また、駆動制御部としてのＣＰＵ４１は、夏時間の設定が切り替えられた場合には、地方時を変更せずにタイムゾーンのみを判別し直して、当該判別したタイムゾーンに応じた世界地図上の位置を地図指針６８により指し示させる。
このように、夏時間実施状況に応じてより確実にタイムゾーンが判別、表示されるので、ユーザは地図指針６８からタイムゾーンの設定をより容易に読み取ることが出来る。
【００５９】
［第２実施形態］
次に、第２実施形態の電子時計について説明する。
図８は、第２実施形態の電子時計１ａの正面図である。
この電子時計１ａは、小窓６ａが９時側に設けられ、小窓６ａには地図指針６８が設けられない一方、地図が描かれた（形成された）地図円板６８ａ（回転円板）が回転可能に設けられている。
また、小窓５ａ及び小窓５ａ内で回動するモード指針６７（設定指針）は１２時側から少し小窓６ａ寄りに移動した位置に小窓５ａに隣接して設けられている。これにより、モード指針６７が小窓６ａの方向を指示した場合に、その先端が小窓６ａの外縁に届く又は当該外縁の指示位置を容易にユーザが認識可能な程度に近接する配置となっている。
小窓６ａの外縁は、１２時側半分が暗色、例えば、青色で半円環状に彩色されており、６時側半分が明色、例えば、橙色で半円環状に彩色されている。
また、本実施形態の電子時計１ａは、アラーム時刻報知動作、ストップウォッチ動作、及びタイマ計測動作が可能であり、これらの機能の実行中には、モード指針６７が各々を示す標識「ＡＬ」、「ＳＷ」、「ＴＲ」をそれぞれ指示する。これらの機能の切り替えや動作命令は、予め定められた押しボタンスイッチＢ１〜Ｂ４の操作により受け付けられる。
【００６０】
日車６６の日付標識を露出させる開口部７は、３時位置に設けられている。また、６時方向の小窓４の１時３０分方向に隣接して小窓４より更に小さい小窓８が設けられ、この小窓８の内部には、２４時間針６９が回動可能に設けられている。
【００６１】
図９は、本実施形態の電子時計１ａの機能構成を示すブロック図である。
電子時計１ａは、上述のように輪列機構７５ａを介して回転動作する地図円板６８ａが、輪列機構７５を介して回転動作する地図指針６８の代わりに設けられており、また、輪列機構７３ａが小分針６４及び小時針６５と連動して更に２４時間針６９を回転動作させる点を除き、第１実施形態の電子時計１と同一である。同一の構成については、同一の符号を付して説明を省略する。
【００６２】
地図円板６８ａは、１５分単位の各タイムゾーンが所定の位置に移動可能なように、ここでは、９６ステップのステップ移動で一回転する。通常の時刻表示時には、地図円板６８ａは、夏時間を考慮せずに０時となるタイムゾーンが１２時方向に位置するようにステッピングモータ８５が１５分に一回駆動されて３．７５度回転し、２４時間で一周する。即ち、地図円板６８ａのうち真夜中に近い側半分が暗色（青色）の外縁範囲に位置し、正午に近い側半分が明色（橙色）の外縁範囲に位置するように地図円板６８ａが回転される。
【００６３】
一方、地方時の設定が行われる場合には、モード指針６７が小窓６ａとの境界の所定の地図指示位置（地図円板６８ａの所定の回転角度方向）、ここでは、小窓６ａと小窓５ａの中心を結んだ線が小窓６ａの外縁と交差する位置を指し示し、地図円板６８ａは、設定されるタイムゾーンに応じた位置が当該モード指針６７により指示された地図指示位置と一致するように回転動作される。即ち、モード指針６７の指示位置により、地図円板６８ａが現在時刻に応じた表示を行っているか、又は地方時設定に応じた表示を行っているかが区別される。
【００６４】
２４時間針６９は、小時針６５の半分の速度で回転する。即ち、小分針６４及び小時針６５で示される時刻が０時０分の場合に１２時方向を指し示し、１２時０分の場合に６時方向を指し示し、一日に一回転することで、小時針６５及び小分針６４による表示時刻が午前又は午後の何れであるかを示す。
【００６５】
次に、本実施形態の電子時計１ａにおける手動での地方時設定動作について説明する。
図１０は、本実施形態の電子時計１ａで実行される地方時設定処理（手動）のＣＰＵ４１による制御手順を示すフローチャートである。
この地方時設定処理（手動）は、図５に示した第１実施形態の地方時設定処理（手動）と比較して、ステップＳ２１１の処理が先頭に追加され、また、ステップＳ２０２、Ｓ２０４、Ｓ２０６の処理がそれぞれステップＳ２０２ａ、Ｓ２０４ａ、Ｓ２０６ａに置き換えられた点を除き同一であり、同一の処理には同一の符号を付して詳しい説明を省略する。
【００６６】
地方時設定処理（手動）が開始されると、ＣＰＵ４１は、駆動回路５１に制御信号を出力して、モード指針６７を地図指示位置に移動させる。また、ＣＰＵ４１は、駆動回路５１に制御信号を出力して地図円板６８ａを回転させ、現在表示設定がされているタイムゾーンを地図指示位置と一致させる（ステップＳ２１１）。
【００６７】
ステップＳ２０１でりゅうずＣ１の回転操作が検出されたと判別された場合には（ステップＳ２０１で“ＹＥＳ”）、ＣＰＵ４１は、駆動回路５１に制御信号を出力して時針６３を１時間進めるとともに、地図円板６８ａを回転させて地図指示位置と一致させるタイムゾーンを１時間分進める（ステップＳ２０２ａ）。それから、ＣＰＵ４１の処理は、ステップＳ２０３に移行する。
【００６８】
ステップＳ２０３で押しボタンスイッチＢ４の押下操作が検出されたと判別された場合には（ステップＳ２０３で“ＹＥＳ”）、ＣＰＵ４１は、駆動回路５１に制御信号を出力して分針６２を１５分移動させるとともに、地図円板６８ａを回転させ、地図指示位置と一致させるタイムゾーンを１５分進める（ステップＳ２０４ａ）。それから、ＣＰＵ４１の処理は、ステップＳ２０５に移行する。
【００６９】
ステップＳ２０５で押しボタンスイッチＢ２の押下操作が検出されたと判別された場合には（ステップＳ２０５で“ＹＥＳ”）、ＣＰＵ４１は、夏時間実施の設定有無を交互に切り替え、また、それぞれ、夏時間の実施有り又は無しで現在時刻が分針６２及び時針６３による表示時刻に対応するタイムゾーンが地図指示位置と一致するように地図円板６８ａを回転動作させる（ステップＳ２０６ａ）。それから、ＣＰＵ４１の処理はステップＳ２０７に移行する。
なお、本実施形態の電子時計１ａでは、モード指針６７が夏時間の実施有無を示す表示と地図指示位置との表示を同時に行うことが出来ないので、例えば、夏時間の実施有無の切替操作時には、一時的にモード指針６７に変更後の夏時間の実施有無を示す位置（ＤＳＴまたはＳＴＤ）を指示させ、所定時間後（例えば１秒後）に地図指示位置に戻すこととさせることが出来る。
【００７０】
図１１及び図１２は、本実施形態の電子時計１ａにおける地方時設定時の表示例を示す図である。
タイムゾーンが東京（ＵＴＣ＋９）に設定されていて、地方時が水曜日の７時１０分（午前）である場合、図１１（ａ）に示すように、通常の日時表示状態では、分針６２、時針６３、及びモード指針６７は、この時刻及び曜日の表示を行う。また、このとき、地図円板６８ａは、現在の地方時（夏時間を考慮しない）が水曜日０時１０分であるアテネが１２時を示すように表示を行う。
【００７１】
地方時設定処理（手動）が開始されると、図１１（ｂ）に示すように、モード指針６７が地図指示位置、即ち、小窓６ａの中心を向く方向に移動される。また、東京を示す位置がこの地図指示位置と一致するように地図円板６８ａが回転動作される。
【００７２】
りゅうずＣ１の回転操作が検出されて、当該操作が、例えば、日時を２時間遅らせる操作（１時間遅らせる操作を２回検出）である場合、図１２に示すように、時針６３が２時間前の５時１０分の位置に移動される。また、タイムゾーンが（ＵＴＣ＋７）であるバンコクの位置が地図指示位置と一致するように地図円板６８ａが回転動作される。
【００７３】
以上のように、第２実施形態の電子時計１ａでは、地図の画像は、回動可能な地図円板６８ａ上に形成され、地図指示位置は、複数の指針のうち一つであるモード指針６７により指示され、ＣＰＵ４１は、地図円板６８ａの所定の回転角度方向、即ち、小窓６ａの中心と小窓５ａの中心とを結んだ方向をモード指針６７により示させた状態で、取得した地方時設定に係るタイムゾーンを示す地図上の位置を地図指示位置（所定の回転角度方向）と一致させるように地図円板６８ａを回動させる。
このように、地図を回転させて所定の地図指示位置に合わせることでも、同様にタイムゾーンを適切に表示することが出来る。また、地図上に指針を重ねないことで、地図をより見やすくすることが出来る。また、地図自体が回転可能となることで、表現がよりダイナミックになる。また、地図を回転させる一方で、地図を指し示す専用の指針ではなく、モード指針６７で地図指示位置の指示を兼用させるので、ステッピングモータの数と動作の効率を向上させることが出来る。
【００７４】
［第３実施形態］
図１３は、第３実施形態の電子時計１ｂの正面図である。
この第３実施形態の電子時計１ｂは、固定表示盤３の１２時側に設けられた小窓５ａと９時側に設けられた小窓６ａとが接しておらず、代わりに、固定表示盤３上には、地図指示位置に該当する位置に２つの固定標識「ＳＴＤ」、「ＤＳＴ」が設けられ、また、これらの地図表示位置近傍から各々伸びる２本の線が描かれている。２本の線は、小窓５ａの外縁における異なる位置とそれぞれ別個に結ばれることで対応付けられている。固定標識「ＳＴＤ」と結ばれた線は、夏時間実施時（ＤＳＴ）に対応し、固定標識「ＤＳＴ」と結ばれた線が夏時間不実施時（ＳＴＤ）に対応する。ここでは、固定標識「ＳＴＤ」が固定標識「ＤＳＴ」の位置よりも小窓６ａにおいて１時間進んだ位置に設けられている。
【００７５】
図１４は、本実施形態の電子時計１ｂで実行される地方時設定処理（手動）のＣＰＵ４１による制御手順を示すフローチャートである。
この地方時設定処理（手動）は、第２実施形態の電子時計１ａで実行される地方時設定処理（手動）に対して、ステップＳ２１１ａ、Ｓ２０６ａの処理がそれぞれステップＳ２１１ｂ、Ｓ２０６ｂの処理に置き換えられた点を除いて同一であり、同一の処理内容には同一の符号を付して説明を省略する。
【００７６】
地方時設定処理（手動）が開始されると、ＣＰＵ４１は、現在の地方時設定を取得して、夏時間の実施有無を判別し、駆動回路５１に制御信号を出力して、モード指針６７を夏時間の実施有無に応じた地図指示位置に移動させる。即ち、ＣＰＵ４１は、夏時間の実施中には、固定標識「ＤＳＴ」に対応する線の小窓５ａ側端部を指し示させ、夏時間の実施を行っていない場合には、固定標識「ＳＴＤ」に対応する線の小窓５ａ側端部を指し示させる。ＣＰＵ４１は、駆動回路５１に制御信号を出力して地図円板６８ａの現在位置に対応する位置がモード指針６７により指し示される地図指示位置、即ち、固定標識「ＤＳＴ」又は固定標識「ＳＴＤ」の何れかと一致するように地図円板６８ａを回転動作させる（ステップＳ２１１ｂ）。
それから、ＣＰＵ４１の処理は、ステップＳ２０１に移行する。
【００７７】
また、ステップＳ２０５の判別処理で押しボタンスイッチＢ２の押下操作が検出されたと判別された場合には（ステップＳ２０５で“ＹＥＳ”）、ＣＰＵ４１は、夏時間実施有無に係る設定を切り替える。ＣＰＵ４１は、駆動回路５１に制御信号を出力し、小窓５ａと小窓６ａとを繋ぐ２本の線の小窓５ａ側端部のうち現在モード指針６７により指し示されている側とは異なる側を指し示すように当該モード指針６７を移動させる（ステップＳ２０６ｂ）。このとき、ＣＰＵ４１は、夏時間の実施時のシフト時間が＋１時間であるか否かを判別し、＋１時間ではない場合には、地図円板６８ａを移動させて当該シフト時間を伴う（伴わない）タイムゾーンに対応する位置をモード指針６７の指示位置に対応する固定標識の位置と一致させる。
それから、ＣＰＵ４１の処理は、ステップＳ２０７に移行する。
【００７８】
［変形例］
図１５は、第３実施形態の電子時計の変形例１、２を示す図である。
図１５（ａ）に示す変形例１の電子時計では、秒針６１ａが１９秒位置に設けられた標識「ＳＥＴ」を指示した場合に当該秒針６１ａの秒を指し示す側とは反対側（根元側端部）が小窓６ａの地図指示位置を指示するようになっており、地方時設定動作時には、秒針６１ａに標識「ＳＥＴ」を指し示させる。ここでは、東京（ＵＴＣ＋９）に対応する地図円板６８ａの位置が秒針６１ａの根元側端部が指し示す地図指示位置と一致するように地図円板６８ａが回転動作される。また、モード指針６７は、小窓５ａ内で夏時間の実施有無に係る設定に応じて標識「ＤＳＴ」、「ＳＴＤ」の何れかを指示する。ここでは、東京における夏時間実施無しの設定に応じて夏時間不実施に対応する標識「ＳＴＤ」が指し示されている。
【００７９】
図１５（ｂ）に示す変形例２の電子時計では、地図指示位置に各々対応付けられてモード指針６７が指し示す位置が４箇所定められており、これら４箇所は、秒針６１、分針６２及び時針６３で指し示されるホーム都市（ＨＴ）における夏時間の実施有無（ＤＳＴ、ＳＴＤ）にそれぞれ対応する２箇所と、小分針６４、小時針６５及び２４時間針６９で指し示される世界時計（ＷＴ）に係る設定都市における夏時間の実施有無（ＤＳＴ、ＳＴＤ）にそれぞれ対応する２箇所（複数箇所）とに各々対応する。ここでは、地図指示位置と小窓５ａにおける４箇所とを各々繋ぐ４本の線自体が地図指示位置を示す固定標識となっている。
【００８０】
この場合、例えば、りゅうずＣ１が一段階引き出されて世界時計の設定位置（都市）に係る変更が行われる場合には、世界時計位置の夏時間設定に応じた何れかの位置がモード指針６７により指し示され、りゅうずＣ１が二段階引き出されてホーム都市の変更設定が行われる場合には、ホーム都市の夏時間設定に応じた何れかの位置がモード指針６７により指し示される。地図円板６８ａは、モード指針６７により指し示されている地図指示位置に設定されているタイムゾーンが一致するように回転動作される。ここでは、世界時計（ＷＴ）で設定されているパリ（ＵＴＣ＋１）のタイムゾーンが夏時間の実施中でＵＴＣ＋２となっている場合に、地図円板６８ａのパリに対応する位置が世界時計「ＷＴ」に係るＤＳＴ位置と一致するように地図円板６８ａが回転する。
【００８１】
以上のように、第３実施形態の電子時計では、地図指示部として、地図円板６８ａの所定の回転角度方向を示す固定標識「ＳＴＤ」、「ＤＳＴ」が設けられ、複数の指針のうち１つであるモード指針６７は、これら固定標識（地図指示部）に対応付けられた位置、即ち、二本の線で各々小窓５ａに繋がれた当該小窓５ａ側の端部位置を指示可能に設けられ、ＣＰＵ４１は、固定標識に対応付けられた位置をモード指針６７により指し示させた状態で、取得した地方時設定に係るタイムゾーンを示す地図上の位置を固定標識が示す回転角度方向と一致させるように地図円板６８ａを回動させる。
このように、モード指針６７が直接小窓６ａの所定角度方向の位置を指示出来ないような小窓６ａ、５ａの相対配置であっても、線などで対応付けることで容易にモード指針６７により地図円板６８ａが設定中の日時に係るタイムゾーンを表示する状態であり、また、地図円板６８ａがどのタイムゾーンに設定されている状態であるかを容易にユーザに知得させることが出来る。
【００８２】
また、固定標識及び固定標識に対応付けられた位置は、夏時間の実施有無に応じてそれぞれ別個に「ＳＴＤ」、「ＤＳＴ」として定められている。従って、モード指針６７が何れの対応位置を指示しているかで、夏時間の実施又は不実施の設定状態が判別可能であり、また、当該夏時間の実施状況に応じて何れのタイムゾーンを示しているかが容易に判別出来る。また、夏時間の実施有無による時刻のずれは多くの場合１時間であるので、固定標識「ＳＴＤ」、「ＤＳＴ」が対応する間隔で配置されることで、実施状況の切り替え時に地図円板６８ａを回転する必要が無くなる。
【００８３】
また、ＣＰＵ４１は、地方時の取得対象位置として、ホーム都市と世界時計に係る都市との複数箇所を設定可能であり、地図指示位置を示し、小窓５ａのモード指針６７による指示位置と対応付けられた線の小窓６ａ側端部位置は、これら複数箇所に各々応じて別個に定められている。
従って、世界時計機能を有する電子時計における地方時設定を通常のホーム都市における地方時設定と同様に容易に行うことが出来、また、何れの設定を行っている状況であるかを容易にユーザに知得させることが出来る。
【００８４】
なお、本発明は、上記実施の形態に限られるものではなく、様々な変更が可能である。
例えば、上記実施の形態では、電子時計１は、通常では、ブルートゥースにより外部機器から現地時刻と共にタイムゾーンや夏時間実施ルールなどの情報を取得することとしたが、必ずしも外部機器からこれらの情報が取得可能である必要はない。現地時刻のみが取得されて地方時設定をＣＰＵ４１が判定しても良いし、外部機器からこれらの情報を取得する機能を有さなくても良い。この場合、電子時計１は、例えば、測位衛星からの電波を受信して正確な日時情報が取得可能な構成を有していても良い。
【００８５】
また、上記第３実施形態では、夏時間の実施／不実施に係る地図指示位置とこれらに対応する位置を各々別個に示したが、モード指針６７で指示する位置のみを異ならせ、小窓６ａにおける地図指示位置を同一の位置とさせても良い。また、固定標識「ＤＳＴ」よりも固定標識「ＳＴＤ」を地図円板６８ａの回転について１時間進んだ位置に設けたが、これに限られるものではない。また、本発明に係る電子時計は、世界時計機能を有しない時計であっても良い。
【００８６】
また、上記実施の形態では、極側から投影された地図に対して地図指針６８を回転動作させて何れかのタイムゾーンを示したが、緯度と経度が直交する地図に対して地図指針６８が略平行に移動しても良い。
【００８７】
また、指針６１〜６３は、固定表示盤３の目盛に対して回転する形態に限られず、目盛や時字がベゼルやケーシング２に設けられていても良いし、ケーシング２の形状や、腕時計として利用時のバンドの装着向きなどにより１２時方向が明らかである場合には、目盛や時字が設けられていなくても良い。
【００８８】
また、指針の数、配置、ステッピングモータとの対応や用途は、上記実施形態のものに限られず、本発明に係る表示が可能な範囲で適宜変更される。また、地方時設定処理（手動）で用いられる指針は、分針６２及び時針６３に限られず、他の指針であっても良い。
【００８９】
また、上記実施の形態では、時針６３の動作をりゅうずＣ１で操作し、分針６２の動作を押しボタンスイッチＢ４で操作することとしたが、他のものであっても良く、また、単一の操作機構により１５分ずつの変更のみがなされても良い。
【００９０】
また、上記実施の形態では、計時回路４６にＵＴＣ日時を計数させて、地方時設定に基づいて随時地方時に換算取得することとしたが、計時回路４６でホーム時刻自体を計数させて、必要に応じて地方時設定に基づいてＵＴＣ日時や他の世界時計時刻に逆算する構成であっても良い。
その他、上記実施の形態で示した具体的な構成、動作の内容や手順などは、本発明の趣旨を逸脱しない範囲において適宜変更可能である。
【００９１】
本発明のいくつかの実施形態を説明したが、本発明の範囲は、上述の実施の形態に限定されるものではなく、特許請求の範囲に記載された発明の範囲とその均等の範囲を含む。
以下に、この出願の願書に最初に添付した特許請求の範囲に記載した発明を付記する。付記に記載した請求項の項番は、この出願の願書に最初に添付した特許請求の範囲の通りである。
【００９２】
［付記］
＜請求項１＞
複数の指針と、
ユーザの操作を受け付ける操作受付部と、
現在の日時を計数する計時部と、
前記複数の指針の動作制御、及び世界各地の現地時刻である地方時の取得対象位置における当該地方時と所定の基準時との時差に係る地方時設定を行う制御部と、
を備え、
前記制御部は、前記操作受付部により受け付けられた操作に応じて前記複数の指針の少なくとも一部に地方時を表示させ、表示させた地方時と前記計時部の計数する日時との差に基づいて前記地方時設定を行う
ことを特徴とする電子時計。
＜請求項２＞
前記制御部は、前記地方時設定において、夏時間の実施有無に係る設定に応じてタイムゾーンの判別を行うことを特徴とする請求項１記載の電子時計。
＜請求項３＞
前記制御部は、前記操作受付部により受け付けられた操作に応じて前記夏時間の実施有無に係る設定を切り替えることを特徴とする請求項２記載の電子時計。
＜請求項４＞
地図画像と、
前記地図画像における何れかのタイムゾーンを示す地図指示部と、
を備え、
前記制御部は、前記地図画像と前記地図指示部とを相対移動させて、取得した前記地方時設定に対応するタイムゾーンを示す前記地図画像上の位置を前記地図指示部により示させる
ことを特徴とする請求項１〜３の何れか一項に記載の電子時計。
＜請求項５＞
前記制御部は、前記地方時設定において、夏時間の実施有無に係る設定に応じてタイムゾーンの判別を行い、前記判別したタイムゾーンに応じた前記地図画像上の位置を前記地図指示部により示させる
ことを特徴とする請求項４記載の電子時計。
＜請求項６＞
前記地図画像は、回動可能な回転円板上に形成され、
前記地図指示部は、前記複数の指針のうち何れかであり、
前記制御部は、前記回転円板の所定の回転角度方向を前記地図指示部により示させた状態で、取得した前記地方時設定に係るタイムゾーンを示す前記地図画像上の位置を前記所定の回転角度方向と一致させるように前記回転円板を回動させる
ことを特徴とする請求項４又は５記載の電子時計。
＜請求項７＞
前記地図画像は、回動可能な回転円板上に形成され、
前記地図指示部は、前記回転円板の所定の回転角度方向を示す固定標識であり、
前記複数の指針のうち１つは、前記地図指示部に対応付けられた位置を指示可能に設けられた設定指針であり、
前記制御部は、前記地図指示部に対応付けられた位置を前記設定指針により指し示させた状態で、取得した前記地方時設定に係るタイムゾーンを示す前記地図画像上の位置を前記地図指示部が示す回転角度方向と一致させるように前記回転円板を回動させる
ことを特徴とする請求項４又は５記載の電子時計。
＜請求項８＞
前記地図指示部及び前記地図指示部に対応付けられた位置は、夏時間の実施有無に応じてそれぞれ別個に定められていることを特徴とする請求項７記載の電子時計。
＜請求項９＞
前記制御部は、地方時の前記取得対象位置として複数箇所を設定可能であり、
前記地図指示部及び前記地図指示部に対応付けられた位置は、前記複数箇所に各々応じて別個に定められていることを特徴とする請求項７又は８記載の電子時計。
【符号の説明】
【００９３】
１、１ａ、１ｂ       電子時計
２     ケーシング
３     固定表示盤
４〜６、５ａ、６ａ、８      小窓
７     開口部
４１   ＣＰＵ
４２   ＲＯＭ
４２ａ プログラム
４２ｂ 都市時差情報
４２ｃ 都市夏時間情報
４３   ＲＡＭ
４３ａ 地方時設定
４４   発振回路
４５   分周回路
４６   計時回路
４７   操作受付部
４８   Bluetoothモジュール
４９   ＵＡＲＴ
５１   駆動回路
５２   電力供給部
６１、６１ａ  秒針
６２   分針
６３   時針
６４   小分針
６５   小時針
６６   日車
６７   モード指針
６８   地図指針
６８ａ 地図円板
６９   ２４時間針
７１〜７５、７３ａ、７５ａ  輪列機構
８１〜８５    ステッピングモータ
ＡＴ   アンテナ
Ｂ１〜Ｂ４    押しボタンスイッチ
【図１】
0006801227.tif 000002
【図２】
0006801227.tif 000003
【図３】
0006801227.tif 000004
【図４】
0006801227.tif 000005
【図５】
0006801227.tif 000006
【図６】
0006801227.tif 000007
【図７】
0006801227.tif 000008
【図８】
0006801227.tif 000009
【図９】
0006801227.tif 000010
【図１０】
0006801227.tif 000011
【図１１】
0006801227.tif 000012
【図１２】
0006801227.tif 000013
【図１３】
0006801227.tif 000014
【図１４】
0006801227.tif 000015
【図１５】
0006801227.tif 000016